(57)【要約】【課題】釣場の状況や釣法、釣人の好みあるいは魚釣用リールの作動状態を含む釣環境に応じて最適な状態で使い分けることができる魚釣用リールの逆転防止装置を提供すること。【解決手段】ハンドル２６の回転に連動するロータ１６に固定された内輪部材４８ａとリール本体１２に固定される外輪部材４８ｂとの間に、保持器５２で保持されたローラ５０を配置し、このローラ５０の楔作用により、リール本体１２に対するロータ１６の逆回転を防止する逆転防止状態と、このローラ５０が自由に回転することにより、リール本体１２に対するロータ１６の正回転および逆回転を可能とする正逆転可能状態とに、保持器５２を介して切換可能とした魚釣用リールの逆転防止装置４６であって、保持器５２が逆転防止状態に切換えられたときに、ローラ５０を楔作用させる方向に付勢する付勢バネ５６の付勢力の大きさを切換可能とした逆転防止装置４６。【選択図】    図３
2007267707.tif 000002
【特許請求の範囲】
【請求項１】
ハンドルの回転に連動する回転体とリール本体との間に、保持部材で保持された転がり部材を配置し、この転がり部材が前記回転体とリール本体との間で楔作用することにより、リール本体に対する前記回転体の逆回転を防止する逆転防止状態と、この転がり部材が自由に回転することにより、リール本体に対する回転体の正回転および逆回転を可能とする正逆転可能状態とに、前記保持部材を介して切換可能とした魚釣用リールの逆転防止装置であって、
前記保持部材が逆転防止状態に切換えられたときに、前記転がり部材を楔作用させる方向に、この転がり部材を付勢する付勢部材の付勢力の大きさを切換可能としたことを特徴とする逆転防止装置。
【発明の詳細な説明】
【技術分野】
【０００１】
本発明は、ハンドルの回転に連動する回転体とリール本体との間に転がり部材を配置し、この転がり部材の楔作用により、リール本体に対して回転体が釣糸巻取方向（正回転）に対して逆回転するのを防止する魚釣用リールの逆転防止装置に関する。
【背景技術】
【０００２】
魚釣用リールに設けられる逆転防止装置は、回転体の逆回転を防止する逆転防止時の遊動を抑制して確実かつ迅速なフッキング操作を行うため、従来のラチェット機構を備えたものから、ローラの楔作用を利用した一方向クラッチを備えたものに移行している。このような一方向クラッチを備えた逆転防止装置は、釣場の状況に迅速に対応できるように、リール本体の外部に設けられた切換部材を操作することにより、逆転防止状態と正逆転可能状態とに切換えられるのが一般的である。
【０００３】
通常、このような魚釣用リールの逆転防止装置は、環状保持体、切換板あるいはリテーナ等と称され、転がり部材を保持しかつリール本体に固定された外輪部材の内周と、回転部材と共に回転する内輪部材の外周との間でこの転がり部材を楔作用させる方向にバネ付勢する保持器を備えており、この保持器を外部からの操作で回転させることにより、この転がり部材が楔作用する位置（逆転防止状態）と楔作用しない位置（正逆転可能状態）との２つの位置の一方に切換え、保持させている（例えば特許文献１、特許文献２および特許文献３参照）。
【特許文献１】特開平８−３３６３４８号公報
【特許文献２】特開平８−１１２０４９号公報
【特許文献３】特開平１０−５６９２５号公報
【発明の開示】
【発明が解決しようとする課題】
【０００４】
しかし、このような一方向クラッチを備えた逆転防止装置は、転がり部材による楔作用の性質上、保持器を介して転がり部材が楔作用する方向に付勢される力の大きさによって、逆転防止性能（ロック性能）あるいは巻取操作時の回転性が定まってしまう。
【０００５】
すなわち、逆転防止性能を向上させようとして、転がり部材に対する付勢力を増大すると、転がり部材に摺接する内輪との接触抵抗が大きくなり、釣糸巻取操作する際の回転が重く、したがって、円滑な巻取回転性能が得られなくなる。逆に、転がり部材に対する付勢力を減少させると、巻取操作は軽くなるが、各部の部品の寸法バラツキ、寒冷地における油分の粘度増加やバネのへたり、部品の磨耗等の種々の影響によってロック性能が低下する。このようにロック性能が低下すると、回転体の逆回転を防止できなくなり、あるいはハンドルの重さで巻取方向に正回転するほど軽くなり過ぎることが生じ、この場合には、誤って仕掛けを巻き取ってしまう等の不具合が発生する。
【０００６】
本発明は、このような事情に基づいてなされたもので、釣場の状況や釣法、釣人の好みあるいは魚釣用リールの作動状態を含む釣環境に応じて最適な状態で使い分けることができる魚釣用リールの逆転防止装置を提供することを目的とする。
【課題を解決するための手段】
【０００７】
上記目的を達成するため、本発明によると、ハンドルの回転に連動する回転体とリール本体との間に、保持部材で保持された転がり部材を配置し、この転がり部材が前記回転体とリール本体との間で楔作用することにより、リール本体に対する前記回転体の逆回転を防止する逆転防止状態と、この転がり部材が自由に回転することにより、リール本体に対する回転体の正回転および逆回転を可能とする正逆転可能状態とに、前記保持部材を介して切換可能とした魚釣用リールの逆転防止装置であって、前記保持部材が逆転防止状態に切換えられたときに、前記転がり部材を楔作用させる方向に、この転がり部材を付勢する付勢部材の付勢力の大きさを切換可能とした逆転防止装置が提供される。
【発明の効果】
【０００８】
この魚釣用リールの逆転防止装置によると、逆転防止状態で、転がり部材が楔作用する方向に、付勢する付勢部材の付勢力の大きさを切換可能としたことにより、重い仕掛けや寒冷地等の釣場環境、あるいは、長期にわたる使用による部品の磨耗等の影響で逆回転しやすくなった場合は、この付勢力を大きくし、微細で軽い仕掛を使用する場合や巻取性重視の場合は、付勢力を小さくすることができ、これにより、釣場の状況や釣法、釣人の好みあるいは魚釣用リールの作動状態を含む釣環境に応じて最適な状態で使い分けることができる。
【発明を実施するための最良の形態】
【０００９】
図１から図５は、本発明の好ましい実施形態による逆転防止装置を備えた魚釣用リールを概略的に示す。
【００１０】
図１に示すように、本実施形態の魚釣用リールは、スピニングリール１０として形成してあり、種々の部材を収容する収容空間Ｓを内部に形成したリール本体１２を備える。このリール本体１２は、前部に鍔部１２ａを有し、上方に延びる脚部１４の端部に形成された竿取付部１４ａを介して釣竿に取付けられる。このリール本体１２の前方には、回転部材であるロータ１６と、ロータ１６の回転運動に同期して前後動可能なスプール１８とが設けられており、リール本体１２の鍔部１２ａが、ロータ１６の後方に開口する開口部内に収容される。
【００１１】
このリール本体１２の収容空間Ｓ内には、横方向に延設されて回転可能に支持されたハンドル軸２０と、ロータ１６を回転し、スプール１８に釣糸を巻回するための巻取駆動装置２２と、このスプール１８を前後に往復動させるスプール往復動装置２４とが設けられる。このリール本体１２から突出したハンドル軸２０の端部にはハンドル２６が取り付けられており、このハンドル２６を回転することにより、巻取駆動装置２２とスプール往復動装置２４とが連動して駆動される。
【００１２】
巻取駆動装置２２は、リール本体１２の収容空間Ｓ内でハンドル軸２０に固定された駆動歯車２８と、この駆動歯車２８に噛合するピニオンギヤ３０とを備える。このピニオンギヤ３０は、ハンドル軸２０に対して直交する前後方向に延びかつリール本体１２に対して前部軸受３２と後部軸受３４とを介して回転自在に支持された筒軸３０ａの後端側外周部に設けられている。この筒軸３０ａの先端部には、ベール３６ａおよび釣糸案内部３６ｂを備えたロータ１６が回転部材として一体的に取り付けられ、ピニオンギヤ３０を介して筒軸３０ａと共に一体的に回転することができる。
【００１３】
このロータ１６の内側には、筒軸３０ａに回り止めされてナット１５で抜け止めされる内側筒部１６ａが設けられ、外側には一対の支持アーム１７ａ，１７ｂが設けられている。各支持アーム１７ａ，１７ｂの前端部には、通常のベール３６ａおよび釣糸案内部３６ｂを先端部に取付けた支持部材３７ａ，３７ｂが、それぞれの基端部を介して回動自在に支持される。これらの支持部材３７ａ，３７ｂは、一方の支持アーム１７ａに配置された通常の振り分け機構により、釣糸巻取位置と釣糸放出位置との一方に保持され、他方に向けて反転させることができる。また、他方の支持アーム１７ｂには、ハンドル２６の巻取操作に連動して支持部材３７ａ，３７ｂをベール３６ａと共に釣糸放出位置から釣糸巻取位置へ自動復帰させる公知の反転復帰機構が配置されている。
【００１４】
なお、本実施形態では、ロータ１６の回転方向について、ロータ１６のベールおよび釣糸案内部を介してスプール１８に釣糸を巻回する方向の回転が正回転となり、これとは逆に、スプール１８から釣糸を繰出す方向の回転が逆回転となる。
【００１５】
このようなロータ１６を固定した筒軸３０ａ内には、スプール軸３８が貫通し、ハンドル軸２０と直交する方向に延在している。このスプール軸３８は、筒軸３０ａと同心的に配されており、筒軸３０ａおよびリール本体１２に対してハンドル軸２０と直交する方向に沿って前後動することができる。このスプール軸３８の先端部に、釣糸が巻回されるスプール１８が取り付けられる。
【００１６】
スプール軸３８を介してスプール１８を前後方向に往復動するスプール往復動装置２４は、ピニオンギヤ３０に噛合する作動歯車４０で回転駆動されるトラバースカム軸４２と、このトラバースカム軸４２の外面に形成された螺旋状のカム溝４２ａに係合する摺動体４４とを有し、この摺動体４４がスプール軸３８の後端に本実施形態ではねじで連結される。トラバースカム軸４２が回転すると、この螺旋状のカム溝４２ａに係合する摺動体４４が前後に往復動し、この摺動体４４に取り付けられたスプール軸３８が筒軸３０ａ内を軸方向に沿って往復駆動（前後動）する。なお、このようなスプール往復動装置２４は、上述のようなトラバースカム軸４２を用いたものに代え、ハンドル軸２８と一体回転する歯車に噛合して回転する大歯車を有するいわゆるギヤ方式のものであってもよい。
【００１７】
このように形成された魚釣用スピニングリール１０は、ハンドル２６を回転操作してハンドル軸２０を回転させると、スプール往復動装置２４の摺動体４４に取付けられたスプール軸３８を介してスプール１８が前後に往復動し、一方、巻取駆動装置２２の駆動歯車２８とピニオンギヤ３０と筒軸３０ａとを介して、ロータ１６が回転駆動される。スプール１８が前後に移動される間に、ベール３６で案内された釣糸が、このスプール１８上にほぼ均等に巻回される。
【００１８】
更に、リール本体１２の前筒部１２ｂ内には、ロータ１６の回転状態を、逆転防止状態と逆転可能状態とに切換える逆転防止装置４６が配置されている。本実施形態の逆転防止装置４６は、一方向クラッチとして形成してあり、ピニオンギヤ３０と一体の筒軸３０ａに内周側が回転不能に装着された内輪部材４８ａと、この前筒部１２ｂに外周側が回転不能に装着された外輪部材４８ｂと、これらの内輪部材４８ａと外輪部材４８ｂとの間に介挿された複数のローラ５０とを有する。
【００１９】
図２に示すように、これらのローラ５０は、転がり部材として保持部材である保持器５２により保持され、後述するように、内輪部材４８ａの滑らかな円筒状面で形成された外周面と外輪部材４８ｂの内周面との間で、自由に回転するクラッチオフ位置（図３）と、楔作用するクラッチオン位置（図４および図５）とに移動される。更に、この楔作用するクラッチオン位置は、ローラ５０に作用する付勢力が弱状態の弱オン位置（図４）と付勢力が強状態の強オン位置（図５）とを有し、これらの弱オン位置と強オン位置との間で自由に切換えることができる。
【００２０】
これらのローラ５０は、保持部材である環状構造の保持器５２に等間隔に形成されたガイド溝５４内に収容された状態で保持され、後述する楔作用をなす方向に向けて、付勢部材である付勢バネ５６により付勢されている。この付勢バネ５６は、保持器５２の内周側と外周側とにそれぞれ折り曲げ部５６ａ，５６ｂを有する板バネで形成してあり、ガイド溝５４を周方向の一側で区画する壁部５４ａとこのガイド溝５４内に突出する係止片５５とで、この内周側折り曲げ部５６ａが保持され、ガイド溝５４から内周側および外周側に脱落するのが防止されている。このガイド溝５４を周方向の反対側で区画する壁部５４ｂは、クラッチオフ位置において、付勢バネ５６で付勢されたローラ５０を内輪部材４８の外周から安定して離間保持できるように、中央部が凹状のＶ字又は湾曲面に形成されている。
【００２１】
この保持器５２の半径方向外方に配置される外輪部材４８ｂの内周面には、各ローラ５０に対応する部位に、半径方向外方に凹設された凹部５８を配置したローラ５０のフリー回転領域Ｆと、凹部５８に近接する側から離隔する側に向けて半径方向内方に傾斜する傾斜面６０を配置してローラ５０の回転を規制する規制領域Ｂとを周方向に隣接させて配置してある。ローラ５０がフリー回転領域Ｆに配置されると、ローラ５０は自由に回転でき、ロータ１６および内輪部材４８ａが正回転および逆回転のいずれの方向に回転することができる。一方、ローラ５０が規制領域Ｂに配置されると、内輪部材４８ａが逆回転したときにローラ５０が内輪部材４８ａと外輪部材４８ｂとの間で楔作用をなし、ローラ５０および内輪部材４８ａの逆回転が阻止される。そして、この外輪部材４８ｂを半径方向に貫通する案内溝６２を介して、保持器５２に取付けられた作動部材６４が外輪部材４８ｂの外周側に突出しており、この作動部材６４を介して保持器５２およびローラ５０を移動することができる。
【００２２】
この作動部材６４により、図３に示すように、各ローラ５０がフリー回転領域Ｆに対応したクラッチオフ位置に移動されると、ロータ１６は正回転および逆回転が可能な正逆転可能状態となる。また、図４および図５に示すように、各ローラ５０が規制領域Ｂに対応したクラッチオン位置に移動されると、ロータ１６はリール本体１２に対する逆回転が防止される逆転防止状態となる。
【００２３】
図１に示すように、各ローラ５０をフリー回転領域Ｆと規制領域Ｂとの間で移動し、ロータ１６を正逆転可能状態と逆転防止状態とに切換えるため、操作杆６６がリール本体１２の収容空間Ｓ内に前後方向に沿って延設してある。この操作杆６６の先端部６６ａは、作動部材６４に形成された長孔６４ａに僅かな遊びを形成して連結され、後端部はリール本体１２の後壁に形成された貫通孔（図示しない）を介して外部に突出し、この外部に突出した操作杆６６の後端部に、切換部材である切換レバー６８が回転不能に取付けられている。
【００２４】
本実施形態の操作杆６６は、略中間部でクランク状に屈曲した曲軸として形成され、前軸部６６ｂが後軸部６６ｃに対して側方に突出する。後端部に取付けた切換レバー６８を回動操作すると、操作杆６６は、後軸部６６ｃの中心軸を中心として前軸部６６ｂを回動させ、クランク状に屈曲した前軸部６６ｂの先端部６６ａが揺動する。この先端部６６ａに連結された作動部材６４を介して保持器５２が回動される。これにより、逆転防止装置４６は、ロータ１６が正逆転可能な逆転可能状態と、正転可能でかつ逆転不能の逆転防止状態とに切換えられる。ロータ１６がいずれの状態にあっても、ハンドル１６を正転方向（釣糸をスプール１８に巻き取る方向の回転）に回転すると、支持アーム１７ｂ内に配置された公知の復帰機構を介して、釣糸放出位置にあるベール３６は、釣糸巻取位置に復帰することができる。
【００２５】
この操作杆６６は、リール本体１２の収容空間Ｓ内に位置する後軸部６６ｂの一部に、この操作杆６６の回動位置を保持するために位置決め部７０を形成し、リール本体１２のボス部１２ｃ（図３の（Ｃ）参照）に保持された板バネ等の弾性体７２をこの位置決め部７０に圧接している。これにより、操作杆６６は、切換レバー６８を介して回動された位置である、ロータ１６を正逆転可能状態とするクラッチオフ位置（図３）、あるいは、正回転を可能としかつ逆回転を防止する逆転防止状態とするクラッチオン位置に保持することができる。本実施形態では、このクラッチオン位置は、弱オン位置(図４）と強オン位置(図５）とを有しており、したがって、操作杆６６の位置決め部７０は、ロータ１６がクラッチオフ位置、弱オン位置および強オン位置のときに、それぞれ弾性体７２に当接してそれぞれの位置を保持する第１平坦面７０ａ、第２平坦面７０ｂおよび第３平坦面７０ｃを周方向に沿って順に形成されている。
【００２６】
このように形成された魚釣用リールの逆転防止装置４６の作用は以下の通りである。
【００２７】
図３に示すクラッチオフ位置では、（Ａ）および（Ｂ）に示すように、切換レバー６８、操作杆６６の先端部６６ａおよび作動部材６４を介して、保持器５２がローラ５０をフリー回転領域Ｆに配置する。操作杆６６は、（Ｃ）に示すように、位置決め部７０に形成された第１面７０ａを介して弾性体７２で押圧され、回動が阻止されている。
【００２８】
ローラ５０は付勢バネ５６と壁部５４ｂとの間で、内輪部材４８ａから離隔した状態に、付勢バネ５６の付勢力及び壁部５４ｂの凹状部で付勢保持される。このため、内輪部材４８ａが回転しても、ローラ５０を介してほとんど抵抗を受けず、内輪部材４８ａ、筒軸３０ａおよびロータ１６は正転方向および逆転方向に自由に回転することができる。
【００２９】
図４に示すクラッチオン位置の弱オン位置では、（Ａ）および（Ｂ）に示すように、切換レバー６８、操作杆６６の先端部６６ａおよび作動部材６４を介して、保持器５２がローラ５０を規制領域Ｂに配置する。操作杆６６は、（Ｃ）に示すように、位置決め部７０に形成された第２面７０ｂを介して弾性体７２で押圧され、回動が阻止されている。ローラ５０は、内輪部材４８ａの外周面と外輪部材４８ｂの内周部に形成された傾斜面６０とに当接し、付勢バネ５６により、楔作用する方向に付勢されている。このときの付勢バネ５６の付勢力は強オン位置における付勢力よりも弱い。
【００３０】
内輪部材４８ａが矢印Ｒで示す逆回転方向に回転すると、ローラ５０は矢印ｒで示す回転方向の力を受ける。この矢印ｒ方向にローラ５０を回転しようとする力は、ローラ５０が傾斜面６０と内輪部材４８ａとの間で楔作用すなわちこれらの部材間に食込むように働く。これにより、内輪部材４８ａおよびロータ１６の逆回転が阻止される。これとは反対に、内輪部材４８ａが矢印Ｒとは反対方向すなわち正回転方向に回転すると、ローラ５０には凹部５８側に向けて楔作用を解除する方向の力が付勢バネ５６の付勢力に抗して作用する。このクラッチオン位置の弱オン位置においても、ハンドル２６を介してロータ１６を釣糸巻取方向に自由に回転することができる。
【００３１】
この弱オン位置では、ローラ５０が楔作用する方向に働く付勢バネ５６の付勢力が小さいため、微細で軽い仕掛を使用する場合や巻取性重視の場合に極めて好適に用いることができる。一方、重い仕掛けや寒冷地等の釣場環境、長期にわたる使用による部品の磨耗等の影響で逆回転しやすくなった場合は、切換レバー６８を介して強オン位置に切換えることができる。
【００３２】
図５に示すクラッチオン位置の強オン位置では、（Ａ）および（Ｂ）に示すように、切換レバー６８、操作杆６６の先端部６６ａおよび作動部材６４を介して、保持器５２がローラ５０を規制領域Ｂに配置する。操作杆６６は、（Ｃ）に示すように、位置決め部７０に形成された第３面７０ｃを介して弾性体７２で押圧され、回動が阻止されている。ローラ５０は、内輪部材４８ａの外周面と外輪部材４８ｂの内周部に形成された傾斜面６０とに当接し、付勢バネ５６により、楔作用する方向に付勢されている。作動部材６４および保持器５２が図４に示す弱オン位置よりも更に回動されているため、付勢バネ５６の付勢力は弱オン位置における付勢力よりも強い。このため、より大きな逆転防止性能を得ることができる。
【００３３】
このように形成された本実施形態の魚釣用リール用逆転防止装置４６によると、逆転防止状態であるクラッチオン位置で、ローラ５０が楔作用する方向に向けて保持器５２を介して付勢する付勢力の大きさが比較的小さい弱オン位置（図４）と、これよりも付勢力が大きい強オン位置（図５）とに切換可能としたことにより、重い仕掛けや寒冷地等の釣場環境、あるいは、長期にわたる使用による部品の磨耗等の影響で逆回転しやすくなった場合は、付勢バネ５６の付勢力を大きくし、微細で軽い仕掛を使用する場合や巻取性重視の場合は、付勢力を小さくすることができ、これにより、釣場の状況や釣法、釣人の好みあるいは魚釣用リールの作動状態を含む釣環境に応じて最適な状態で使い分けることができる。
【００３４】
図６および図７は他の実施形態を示す。なお、以下に説明する実施形態あるいは変形例は、基本的には上述の実施形態と同様であり、同様な部位には同様な符号を付してその詳細な説明を省略する。  
この実施形態では、操作杆７６が操作レバー７８の回転中心から偏心した位置に固定されており、図６に示すクラッチオフ位置と図７に示すクラッチオン位置とに切換えられる。また、引張りコイルバネで形成された付勢バネ８０の一端は、作動部材６４に係止され、他端は、付勢力を切換える補助レバー８２に係止されている。本実施形態の補助レバー８２は、操作レバー７８と同様に、回転中心から偏心した位置に固定した突起８４を有し、この突起を介して付勢バネ８０の端部が固定されている。
【００３５】
図６に示すクラッチオフ位置では、ローラ５０がフリー回転領域Ｆに配置される。付勢バネ８０の付勢力は作動部材６４を介して作動杆７６および操作レバー７８で支えられ、ローラ５０にはほとんど作用しない。
【００３６】
この操作レバー７８を図７に示すクラッチオン位置に切換えると、操作杆７６および作動部材６４を介して保持器５２が回動され、ローラ５０は規制領域Ｂに配置される。ローラ５０は内輪部材４８ａと外輪部材４８ｂの傾斜面６０とに係合し、付勢バネ８０の付勢力は作動部材６４および保持器５２を介してローラ５０に作用する。このとき、作動部材６４が付勢バネ８４の付勢力を保持器５２を介してローラ５０に確実に作用させるために、操作杆７６は長孔６４ａ内で、対向する２つの長辺部のうち、付勢バネ８０の付勢方向に対して反対側に位置する長辺部の間に僅かな間隙を形成するのが好ましい。
【００３７】
このクラッチオン位置では、補助レバー８２を実線で示す弱オン位置（付勢バネ８０の作動部材６４に作用する付勢力小）と、鎖線で示す強オン位置（付勢バネ８０の作動部材６４に作用する付勢力大）とに切換えることができる。
【００３８】
この実施形態では、図１から図５の実施形態について説明した作用効果に加え、付勢バネ８０は一つでよく、各ローラ５０ごとに設ける必要がないため、逆転防止装置４６を簡単な構造とすることができる。
【図面の簡単な説明】
【００３９】
【図１】本発明の好ましい実施形態による逆転防止装置を備えた魚釣用スピニングリールの内部構造を示す断面図。
【図２】図１の逆転防止装置を説明する概略的な斜視図。
【図３】図１の逆転防止装置を正逆転可能状態としたときの各部材の配置を示し、(Ａ）は図１のＡ−Ａ線に沿う断面図、（Ｂ）は（Ａ）の一部の拡大図、（Ｃ）は図１のＣ−Ｃ線に沿う断面図。
【図４】図１の逆転防止装置を逆転防止状態で弱オン位置に配置したときの図３と同様な図。
【図５】図１の逆転防止装置を逆転防止状態で強オン位置に配置したときの図３と同様な図。
【図６】他の実施形態による逆転防止装置の正逆転可能状態を示す説明図。
【図７】図６の逆転防止装置の逆転防止状態を示す説明図。
【符号の説明】
【００４０】
１０魚釣用スピニングリール、１２…リール本体、１６…ロータ（回転体）、２６…ハンドル、５０…ローラ（転がり部材）、５２…保持器（保持部材）、５６…付勢バネ（付勢部材）。
【図１】
2007267707.tif 000003
【図２】
2007267707.tif 000004
【図３】
2007267707.tif 000005
【図４】
2007267707.tif 000006
【図５】
2007267707.tif 000007
【図６】
2007267707.tif 000008
【図７】
2007267707.tif 000009